(57)【要約】【課題】既成の情報から複数の仕向け地の基板配線図を表示することができる基板配線図表示装置、プログラム及び方法を提供する。【解決手段】基板配線図表示装置１は、基板配線図を表示する基板配線図ビュワー１４Ａを表示する表示部１４と、ある仕向け地が指定されると、基本となる部品構成の部品が実装された基板配線図を表示するための基板配線情報１１０を参照するとともに、仕向け地毎に構成され、基板配線図に実装される部品の部品構成を示す複数の部品構成表情報１１１から指定された仕向け地の部品構成情報を参照して、指定された仕向け地に基づいて基板配線図に実装される部品を入れ替えて基板配線図ビュワー１４Ａに表示する制御部１２とを有する。【選択図】図５
2010061619.tif 000002
【特許請求の範囲】
【請求項１】
基板配線図を表示する表示部と、
ある仕向け地が指定されると、基本となる部品構成の部品が実装された前記基板配線図を表示するための基板配線情報を参照するとともに、仕向け地毎に構成され、前記基板配線図に実装される部品の部品構成を示す複数の部品構成情報から前記指定された仕向け地の部品構成情報を参照して、前記指定された仕向け地に基づいて前記基板配線図に実装される部品を入れ替えて前記表示部に表示する制御部とを有することを特徴とする基板配線図表示装置。
【請求項２】
前記制御部は、前記基本となる部品構成と、前記指定された仕向け地の部品構成情報の部品構成とを比較して、互いに異なる部品の情報を有する部品構成差分情報を生成することを特徴とする請求項１に記載の基板配線図表示装置。
【請求項３】
前記制御部は、前記部品構成差分情報に基づいて、前記表示部に表示される前記基板配線図の部品のうち、前記互いに異なる部品に該当する部品を強調表示することを特徴とする請求項１に記載の基板配線図表示装置。
【請求項４】
前記制御部は、前記部品構成差分情報を前記表示部に表示することを特徴とする請求項１に記載の基板配線図表示装置。
【請求項５】
基本となる部品構成の部品が実装された基板配線図を表示するための基板配線情報を参照する基板配線情報参照ステップと、
仕向け地を指定する仕向け地指定ステップと、
仕向け地毎に構成され、前記基板配線図に実装される部品の部品構成を示す複数の部品構成情報から前記指定された仕向け地の部品構成情報を参照する部品構成情報参照ステップと、
前記指定された仕向け地に基づいて前記基板配線図に実装される部品を入れ替えて表示する表示ステップとをコンピュータに実行させることを特徴とする基板配線図表示プログラム。
【請求項６】
基本となる部品構成の部品が実装された基板配線図を表示するための基板配線情報を参照する基板配線情報参照ステップと、
仕向け地を指定する仕向け地指定ステップと、
仕向け地毎に構成され、前記基板配線図に実装される部品の部品構成を示す複数の部品構成情報から前記指定された仕向け地の部品構成情報を参照する部品構成情報参照ステップと、
前記指定された仕向け地に基づいて前記基板配線図に実装される部品を入れ替えて表示する表示ステップとを有することを特徴とする基板配線図表示方法。
【発明の詳細な説明】
【技術分野】
【０００１】
本発明は、基板配線図表示装置、プログラム及び方法に関する。
【背景技術】
【０００２】
従来、１つの回路図で複数の仕向け地に対応する回路図設計装置が知られている（例えば、特許文献１参照）。
【０００３】
この回路図設計装置は、全ての仕向け地の回路図情報を含むマスター回路図を作成し、そのマスター回路図中に仕向け地によって部品情報が異なる回路領域を部分回路領域として設定する制御部を有するため、仕向け地ごとに部分回路領域の部品情報を入力することですべての仕向け地に対する回路図の入力を完了することができる。また、制御部は、入力の完了したマスター回路図から任意の仕向け地の回路図を表示し、その回路図の部品表を抽出することができる。
【特許文献１】特開平１０−１０５５８９号公報
【発明の開示】
【発明が解決しようとする課題】
【０００４】
しかし、従来の回路図設計装置によると、すべての仕向け地ごとに部分回路領域の部品情報を入力する必要があり、作業コストが増加するという問題がある。一方、基板配線図の保守・管理において、通常１つの仕向け地の基板配線図を表示するための基板配線情報が用意され、他の仕向け地に対しては実装する部品の情報である部品構成情報のみ用意されているため、他の仕向け地に対する部品構成を確認するには、基板配線情報と該当する仕向け地の部品構成情報を参照する必要があり、確認作業が煩雑であるという問題があった。
【０００５】
従って、本発明の目的は、既成の情報から複数の仕向け地の基板配線図を表示することができる基板配線図表示装置、プログラム及び方法を提供することにある。
【課題を解決するための手段】
【０００６】
（１）本発明は上記目的を達成するため、基板配線図を表示する表示部と、ある仕向け地が指定されると、基本となる部品構成の部品が実装された前記基板配線図を表示するための基板配線情報を参照するとともに、仕向け地毎に構成され、前記基板配線図に実装される部品の部品構成を示す複数の部品構成情報から前記指定された仕向け地の部品構成情報を参照して、前記指定された仕向け地に基づいて前記基板配線図に実装される部品を入れ替えて前記表示部に表示する制御部とを有することを特徴とする基板配線図表示装置を提供する。
【０００７】
上記した構成によれば、基本となる部品構成とある仕向け地の部品構成情報を比較して、ある仕向け地の部品を実装した状態に部品を入れ替えるため、ある仕向け地の部品構成を有する基板配線図を表示することができる。
【０００８】
（２）また、本発明は上記目的を達成するため、基本となる部品構成の部品が実装された基板配線図を表示するための基板配線情報を参照する基板配線情報参照ステップと、仕向け地を指定する仕向け地指定ステップと、仕向け地毎に構成され、前記基板配線図に実装される部品の部品構成を示す複数の部品構成情報から前記指定された仕向け地の部品構成情報を参照する部品構成情報参照ステップと、前記指定された仕向け地に基づいて前記基板配線図に実装される部品を入れ替えて表示する表示ステップとをコンピュータに実行させることを特徴とする基板配線図表示プログラムを提供する。
【０００９】
上記した構成によれば、（１）と同様の効果を有する基板配線図表示プログラムを実現できる。
【００１０】
（３）また、本発明は上記目的を達成するため、基本となる部品構成の部品が実装された基板配線図を表示するための基板配線情報を参照する基板配線情報参照ステップと、仕向け地を指定する仕向け地指定ステップと、仕向け地毎に構成され、前記基板配線図に実装される部品の部品構成を示す複数の部品構成情報から前記指定された仕向け地の部品構成情報を参照する部品構成情報参照ステップと、前記指定された仕向け地に基づいて前記基板配線図に実装される部品を入れ替えて表示する表示ステップとを有することを特徴とする基板配線図表示方法を提供する。
【００１１】
上記した構成によれば、（１）と同様の効果を有する基板配線図表示方法を実現できる。
【発明の効果】
【００１２】
本発明によれば、既成の情報から複数の仕向け地の基板配線図を表示することができる。
【発明を実施するための最良の形態】
【００１３】
以下に、本発明の基板配線図表示装置の実施の形態を、図面を参照して詳細に説明する。
【００１４】
（基板配線図表示装置の構成）
図１は、本発明の実施の形態に係る基板配線図表示装置の構成例を示すブロック図である。
【００１５】
この基板配線図表示装置１は、例えば、パーソナルコンピュータ等の情報処理装置であり、キーボードやマウス等の入力装置からなり操作内容に基づいて操作信号を出力する操作部１０と、ＳＳＤ（Ｓｏｌｉｄ  Ｓｔａｔｅ  Ｄｒｉｖｅ）やＨＤＤ（Ｈａｒｄ  Ｄｉｓｃ  Ｄｒｉｖｅ）等の不揮発性メモリからなり情報を記憶する記憶部１１と、ＣＰＵ（Ｃｅｎｔｒａｌ  Ｐｒｏｃｃｅｓｓｉｎｇ  Ｕｎｉｔ）等の情報処理回路からなり各部を制御する制御部１２と、揮発性メモリからなり一時的に情報を記憶するメモリ１３と、ＬＣＤ（Ｌｉｑｕｉｄ  Ｃｒｙｓｔａｌ  Ｄｉｓｐｌａｙ）等の表示画面からなり画像を表示する表示部１４とを有する。
【００１６】
記憶部１１は、基板の形状と実装される部品の情報とを含む基板配線情報１１０と、基板に実装される部品を仕向け地ごとに管理する表形式の部品構成情報としての部品構成表情報１１１とを有する。基板配線情報１１０に実装される部品の情報は、例えば、基本となる部品構成として仕向け地１（後述）の部品構成であるとする。なお、ここで仕向け地とは、出荷地ごとの仕様に限らず、性能ごと、用途ごとの仕様等であってもよい。
【００１７】
制御部１２は、基板配線情報１１０と部品構成表情報１１１とを読み込んで、各仕向け地ごとの基板配線図を表示部１４に表示させる基板配線図表示プログラム１２Ａを制御部１２上に設けられた図示しないフラッシュメモリ上に有し、制御部１２において動作実行させる。
【００１８】
メモリ１３は、基板配線図表示プログラム１２Ａが部品構成表情報１１１を読み込んで比較することで生成する部品構成差分情報１３０を一時的に格納する。部品構成差分情報１３０は、仕向け地ごとに異なる部品の詳細又は実装／非実装を記述する情報である。また、部品構成差分情報１３０は、メモリ１３から記憶部１１にコピーして保存する構成としてもよい。
【００１９】
図２は、本発明の実施の形態に係る基板配線図表示プログラムの構成例を示すブロック図である。
【００２０】
基板配線図表示プログラム１２Ａは、基板配線情報１１０を読み込んで基板配線図を表示処理する基板配線情報読込部１２０と、部品構成表情報１１１を読み込み処理する部品構成表情報読込部１２１と、異なる仕向け地同士の部品構成表を比較する部品構成表比較部１２２と、部品構成表比較部１２２の比較結果に基づいて基板配線情報読込部１２０が表示処理した基板配線図を他の仕向け地の基板配線図に切替表示する基板配線切替表示部１２３と、部品構成表比較部１２２の比較結果に基づいて部品構成差分情報１３０を生成する部品構成差分抽出部１２４と、部品構成差分情報１３０を読み込んで表示処理する部品構成差分表示部１２５とを有する。
【００２１】
図３Ａは、本発明の実施の形態に係る部品構成情報の内容例を示す概略図である。
【００２２】
部品構成表情報１１１は、複数の仕向け地ごとに複数の部品構成情報を有するが、それぞれ同様の項目を有するため、代表して「仕向け地１」に対する部品構成表を有する情報である部品構成表情報１１１ａについて説明する。部品構成表情報１１１ａは、基板配線図の実装位置を示すリファレンスと、各リファレンスに実装される部品のコードを示す部品コードと、実装又は非実装を示す実装区分とを有する。同一の基板を使用する部品構成情報は、同一のリファレンスを有し、仕向け地ごとに部品コード及び／又は実装区分が異なる。
【００２３】
図３Ｂは、本発明の実施の形態に係る部品構成差分情報の内容例を示す概略図である。
【００２４】
部品構成差分情報１３０は、一例として、「仕向け地１」と各仕向け地との差分を示す情報であり、各仕向け地ごとにリファレンスと、部品コードと、実装区分とを有する。なお、表中の斜線部分は、「仕向け地１」と内容の異なる項目を示している。
【００２５】
図４は、本発明の実施の形態に係る基板配線図ビュワーの表示例を示す概略図である。
【００２６】
基板配線図ビュワー１４Ａは、表示部１４の表示画面上（図示せず）に基板配線図表示領域として表示され、仕向け地を切り替えて表示を切り替える仕向け地切替メニュー１４０と、後述する選択枠１４４によって選択された部品の詳細情報を表示する部品情報詳細表示１４１と、基板配線情報１１０に基づいて基板回路図を表示する基板表示１４２と、各部品のリファレンス記号と形状とを表示するリファレンス１４３ａ〜１４３ｅ及び１４３ｐと、操作部１０の入力に基づいて部品を選択する選択枠１４４とを有する。
【００２７】
また、基板配線図ビュワー１４Ａは、一例として「仕向け地３」の基板配線図が表示されているが、「仕向け地１」と異なる部品に対しては、強調表示１４５ｅ及び１４５ｐを用いて表示される。なお、強調表示１４５ｐは、外枠が波線となっており、実装されていないことを示す。
【００２８】
（動作）
以下に、本発明の実施の形態における基板配線図表示装置の動作を各図を参照しつつ説明する。
【００２９】
図５は、本発明の実施の形態に係る基板配線図表示装置の動作例を示す概略図である。
【００３０】
基板配線図表示プログラム１２Ａは、記憶部１１から基板配線情報１１０と、部品構成表情報１１１のうち基板配線情報１１０に適用される部品構成表情報１１１ａ〜１１１ｍとを基板配線情報読込部１２０及び部品構成表情報読込部１２１によって読み込み、部品構成表比較部１２２によって比較して、比較結果をメモリ１３にバッファするとともに、部品構成差分抽出部１２４によって部品構成差分情報１３０を生成する。次に、基板配線図表示プログラム１２Ａは、基板配線図ビュワー１４Ａにおいて基板配線情報読込部１２０が読み込んだ基板配線情報１１０に基づいて仕向け地１に対する基板配線図を表示し、基板配線切替表示部１２３によってメモリ１３にバッファした比較結果又は部品構成差分情報１３０に基づいて仕向け地２〜仕向け地ｍに対する基板配線図の表示に切り替える。
【００３１】
図６は、本発明の実施の形態に係る基板配線図表示装置の動作例を示すフローチャートである。
【００３２】
まず、基板配線情報読込部１２０は、基板配線情報１１０を読み込み（Ｓ１）、基本となる仕向け地、例えば、仕向け地１の部品を実装した基板配線図を基板配線図ビュワー１４Ａに表示する（Ｓ２）。
【００３３】
次に、部品構成表情報読込部１２１は、部品構成表情報１１１を仕向け地ごとに読み込み（Ｓ３）、同一基板の部品構成表情報１１１ａ〜１１１ｍを読み込む（Ｓ４）。
【００３４】
次に、部品構成表比較部１２２は、各部品構成表情報１１１ａ〜１１１ｍを比較してリファレンスが同じで部品コードが異なる部品を抽出する（Ｓ５）。また、リファレンスが同じで実装区部の異なる部品を抽出する（Ｓ６）。
【００３５】
次に、部品構成表比較部１２２は、抽出した部品の情報（図示せず）をメモリ１３にバッファする（Ｓ７）。また、部品構成差分情報１３０を生成する場合は、ステップＳ７のタイミングで、部品構成差分抽出部１２４によって、抽出した部品の情報から部品構成差分情報１３０を生成してメモリ１３にバッファする。
【００３６】
次に、基板配線図ビュワー１４Ａの仕向け地切替メニュー１４０において仕向け地切替要求が有ると（Ｓ８；Ｙｅｓ）、基板配線切替表示部１２３は、メモリ１３にバッファした、抽出した部品の情報に基づいて部品を置き換えて、他の仕向け地の基板配線図を基板配線図ビュワー１４Ａに表示する（Ｓ９）。また、ステップＳ７において、部品構成差分情報１３０を生成した場合は、部品構成差分情報１３０に基づいて、他の仕向け地の基板配線図を基板配線図ビュワー１４Ａに表示する。
【００３７】
（実施の形態の効果）
上記した実施の形態によると、基本となる部品構成と、ある仕向け地の部品構成表情報の部品構成とを比較して、ある仕向け地の部品を実装した状態を示す基板配線情報１１０を表示する構成としたため、複数の基板配線情報を改めて作成する必要がなくなる。これにより、部品の検索ミスの低減化及び検索スピードの向上が図られる。また、同一基板を用いた複数の仕様を一括管理することができるようになる。
【００３８】
また、部品構成差分情報１３０を生成したことで、仕向け地間の部品の違いを容易に把握することができるようになり、部品の検索ミスの低減化及び検索スピードの向上が図られる。
【００３９】
なお、部品構成差分情報１３０は、例えば、図３Ｂに示すような表等の形式で基板配線図ビュワー１４Ａ上に表示するようにしてもよい。また、本実施の形態において、部品構成差分情報１３０は、仕向け地１の部品構成表と異なる部品を抽出したが、任意の仕向け地同士の部品構成表の差分を抽出するようにしてもよい。
【図面の簡単な説明】
【００４０】
【図１】本発明の実施の形態に係る基板配線図表示装置の構成例を示すブロック図である。
【図２】本発明の実施の形態に係る基板配線図表示プログラムの構成例を示すブロック図である。
【図３Ａ】本発明の実施の形態に係る部品構成情報の内容例を示す概略図である。
【図３Ｂ】本発明の実施の形態に係る部品構成差分情報の内容例を示す概略図である。
【図４】本発明の実施の形態に係る基板配線図ビュワーの表示例を示す概略図である。
【図５】本発明の実施の形態に係る基板配線図表示装置の動作例を示す概略図である。
【図６】本発明の実施の形態に係る基板配線図表示装置の動作例を示すフローチャートである。
【符号の説明】
【００４１】
１…基板配線図表示装置、１０…操作部、１１…記憶部、１２…制御部、１２Ａ…基板配線図表示プログラム、１３…メモリ、１４…表示部、１４Ａ…基板配線図ビュワー、１１０…基板配線情報、１１１…部品構成表情報、１１１ａ-１１１ｍ…部品構成表情報、１２０…基板配線情報読込部、１２１…部品構成表情報読込部、１２２…部品構成表比較部、１２３…基板配線切替表示部、１２４…部品構成差分抽出部、１２５…部品構成差分表示部、１３０…部品構成差分情報、１４０…仕向け地切替メニュー、１４１…部品情報詳細表示、１４２…基板表示、１４３ａ-１４３ｅ、１４３ｐ…リファレンス、１４４…選択枠、１４５ｅ、１４５ｐ…強調表示
【図１】
2010061619.tif 000003
【図２】
2010061619.tif 000004
【図３Ａ】
2010061619.tif 000005
【図３Ｂ】
2010061619.tif 000006
【図４】
2010061619.tif 000007
【図５】
2010061619.tif 000008
【図６】
2010061619.tif 000009